(57)【要約】      （修正有）【課題】明るいところでは高級感を備える外観と、暗いところや紫外線を照射したときには明るいところと異なる斬新な外観を有する時計を提供する。【解決手段】時計１は、時計の表示板である文字板５と風防ガラス４との間に見返し面１０を有し、見返し面には周方向に溝が形成され、溝が蓄光性夜光塗料１２で充填されている。【選択図】図１
0003203279.tif 000002
【実用新案登録請求の範囲】
【請求項１】
時計用の表示板と風防ガラスとの間に見返し面を有し、
前記見返し面には周方向に溝が形成され、前記溝が蓄光性夜光塗料で充填されている、ことを特徴とする時計。
【請求項２】
請求項１に記載の時計において、
前記見返し面は、前記風防ガラスを固定するガラス縁またはケース胴の内周面に設けられている、
ことを特徴とする時計。
【請求項３】
請求項２に記載の時計において、
前記ガラス縁が、光半透過性を有する磁器で成形されている、
ことを特徴とする時計。
【請求項４】
請求項１に記載の時計において、
前記見返し面は、前記時計用の表示板と前記風防ガラスとの間に配置されるダイヤルリングの内周面に設けられている、
ことを特徴とする時計。
【請求項５】
請求項４に記載の時計において、
前記ダイヤルリングは光半透過性を有する磁器で成形されている、
ことを特徴とする時計。
【請求項６】
請求項５に記載の時計において、
前記ダイヤルリングには、前記見返し面、前記見返し面に対し径方向外側の背面または前記時計用の表示板と接触する面のいずれか一つの面、またはいずれか二つの面、または三つの面に溝が形成され、前記溝が蓄光性夜光塗料で充填されている、
ことを特徴とする時計。
【請求項７】
請求項３または請求項５に記載の時計において、
前記ガラス縁または前記ダイヤルリングの表面のうち、組み立てたときに、前記ガラス縁および前記ダイヤルリングの少なくとも視認可能な面には光透過性または光半透過性の釉薬が焼き付けられている、
ことを特徴とする時計。
【考案の詳細な説明】
【技術分野】
【０００１】  本考案は、時計に関する。
【背景技術】
【０００２】  時計用の表示板である文字板や時刻指針に、照射された光エネルギーを蓄積した後、光エネルギーを放出する放射性物質を含まない蓄光性夜光塗料を塗布し、夜間など暗い場所でも時刻を知り得る時計がある。また、文字板や時刻指針以外に、見返しリングの見返し面に蓄光性夜光塗料の層を形成するという時計が特許文献１に開示されている。
【先行技術文献】
【特許文献】
【０００３】
【特許文献１】特開２００６−２５０７３１号公報
【考案の概要】
【考案が解決しようとする課題】
【０００４】  特許文献１に記載されている時計は、見返しリング（ダイヤルリングと記載することがある）の見返し面に、蓄光性夜光塗料の下地層を形成し、下地層の上面にカラー塗料層からなる装飾層を設け、この装飾層にレーザー光を時刻数字などのパターン状に照射して、下地層をパターン状に露出させている。このように形成された時刻数字などは、従来からある夜光塗料の時刻数字の質感と似ていて、明るいところではシャープな輪郭の時刻数字が得られず、また、装飾層の一部が見返し面に残ってしまうので、高級感のある従来にない斬新なデザインの時計を実現することは困難である。【０００５】  本考案は、かかる課題に鑑みてなされたものであり、その目的とするところは、明るいところでは高級感を備える外観と、暗いところや紫外線を照射したときに明るいところで見える外観とは異なる斬新な外観の時計を提供しようとするものである。
【課題を解決するための手段】
【０００６】  上記課題を解決するために、本考案の時計は、時計用の表示板と風防ガラスとの間に見返し面を有し、見返し面には周方向に溝が形成され、溝が蓄光性夜光塗料で充填されている、こととする。【０００７】  また、上記考案に加えて、見返し面は、風防ガラスを固定するガラス縁またはケース胴の内周面に設けられている、ことが好ましい。【０００８】  また、上記考案に加えて、ガラス縁が、光半透過性を有する磁器で成形されている、ことが好ましい。【０００９】  また、上記考案に加えて、見返し面は、時計用の表示板と風防ガラスとの間に配置されるダイヤルリングの内周面に設けられている、ことが好ましい。【００１０】  また、上記考案に加えて、ダイヤルリングは光半透過性を有している、ことが好ましい。【００１１】  また、上記考案に加えて、ダイヤルリングには、見返し面、見返し面に対し径方向外側の背面または時計用の表示板と接触する面のいずれか一つの面、またはいずれか二つの面、または三つの面に周方向に溝が形成され、溝が蓄光性夜光塗料で充填されている、ことが好ましい。【００１２】  また、上記考案に加えて、ガラス縁またはダイヤルリングの表面のうち、組み立てたときに、ガラス縁およびダイヤルリングの少なくとも視認可能な面には光透過性または光半透過性の釉薬が焼き付けられている、ことが好ましい。
【図面の簡単な説明】
【００１３】
【図１】本考案の第１の実施の形態に係る時計を示す外観斜視図である。
【図２】（Ａ）は、図１のＡ−Ａ切断線で切断した縦断面図、（Ｂ）は、ガラス縁の一部（図１のＢで示す部分）を拡大して示した部分断面図である。
【図３】本考案の第２の実施の形態に係る時計を示し、（Ａ）は、図１のＡ−Ａ切断線に相当する位置の切断線で切断した断面図の一部を示す断面図、（Ｂ）は、ダイヤルリングの一部（図３（Ａ）のＣで示す部分）を拡大して示した部分断面図（第１実施例）、（Ｃ）は、第２実施例に係るダイヤルリングを示す部分断面図、（Ｄ）は、第３実施例に係るダイヤルリングを示す部分断面図、（Ｅ）は、第４実施例に係るダイヤルリングを示す部分断面図である。
【考案を実施するための形態】
【００１４】  以下、本考案の実施の形態に係る時計１について図面を参照しながら説明する。なお、本考案は、腕時計、腕時計以外の携帯時計、卓上時計および壁掛け時計などに適用可能であるが、以下の実施の形態では、腕時計を時計として説明する。
【００１５】  （第１の実施の形態）
【００１６】  図１は、第１の実施の形態に係る時計１を示す外観斜視図である。図２（Ａ）は、図１のＡ−Ａ切断線で切断した縦断面図、図２（Ｂ）は、ガラス縁３の一部（図１のＢで示す部分）を拡大して示した部分断面図である。図１、図２に示すように、時計１は、ケース胴２と、ケース胴２に固定されたガラス縁３と、ガラス縁３に固定された風防ガラスであるガラス４と、時計用の表示板である文字板５を備え、時計内部に収容されたムーブメント６（図２（Ａ）参照）を有している。文字板５とガラス４の間には、時刻指針である時針７および分針８が取り付けられている。時計ケースやムーブメント６の構成は、周知であるため詳しい設明を省略する。文字板５の表面には、時刻を表示する時刻数字９が設けられている。ガラス縁３の文字板５とガラス４との間の内周面は、見返し面１０である。この見返し面１０には、溝１１（図２（Ａ），（Ｂ）参照）が周方向全周にわたって形成され、この溝１１内は、蓄光性夜光塗料１２で充填されている。なお、図１に示す時計１は、見返し面１０の内側形状は平面視で円形であるが、この形状は特に限定されることなく、たとえば、楕円形や四角形などでもよい。図２（Ａ）に示すように、ムーブメント６は、ケース胴２と裏蓋１３で挟み込まれるようにして保持されている。なお、溝１１は、全周にわたって形成されるのではなく、周方向の一部や、一部に隙間がある間欠的な線状に形成してもよい。
【００１７】  図２（Ｂ）に示す例では、蓄光性夜光塗料１２が充填される溝１１は、見返し面１０の高さ方向のほぼ中央に配置される。そして、溝１１の幅ｈは、見返し面１０の高さＨの約１／２程度としている。また、溝１１の見返し面１０からの深さは、平均深さで０．１ｍｍ〜０．３ｍｍが好ましい。この深さは、蓄光性夜光塗料１２が十分な輝度（明るさ）となる蓄光性夜光塗料１２の好ましい厚みである。なお、見返し面１０の文字板５の表面からの傾斜角度θは、０度〜４５度の範囲にすることが好ましい。この傾斜角度θは、時計１の質感やデザイン性を考慮して決定すればよい。蓄光性夜光塗料１２は、溝１１内に充填される。ここで、充填とは、必ずしも溝１１内に隙間なく満たされていなくてもよく、また、見返し面１０からわずかに突出したり、凹んでいたりしてもよいが、突出量Ｃは、明るいところで時計１を見たときに、溝１１の輪郭（蓄光性夜光塗料１２の輪郭）がシャープに見える範囲にしておくことが好ましい。
【００１８】  なお、本実施の形態のガラス縁３は、黄銅やステンレス鋼などの金属製であって、見返し面１０は、鏡面仕上げ面とする。鏡面仕上げとすることで、蓄光性夜光塗料１２が発行したときに、見返し面１０が鏡のように光を反射させることができる。
【００１９】  蓄光性夜光塗料１２は、アルミン酸塩化合物を主成分に希土類元素の賦活剤を添加させた発光基体を用いたものであって、太陽光や蛍光灯などの光（紫外線）を吸収し、暗いところでは長時間にわたって自然発光する。本実施の形態では、明るいところでは蓄光性夜光塗料１２そのもの（発光色ではない）を視認可能であるが、暗いところ、またはブラックライトによって紫外線を照射したときには、蓄光性夜光塗料１２が発光し、見返し面１０で反射し、一部は文字板５の表面で反射することで、暗闇でも時刻を視認することができ、従来の時計にない質感を有する斬新な時計を実現可能となる。なお、蓄光性夜光塗料としては、蓄光性夜光顔料や硫化亜鉛タイプのものも採用可能である。
【００２０】  以上説明した第１の実施の形態では、見返し面１０をガラス縁３に設けた構成を示しているが、ガラス縁３とケース胴２とを一体化した構造、つまり、ケース胴２がガラス４を固定する機能を有する構造にも適用可能である。図示は省略するが、図２に示す構成で、ガラス縁３とケース胴２とを読み替えればよく、見返し面１０は、ケース胴２の文字板５とガラス４の間の内周面となる。見返し面１０、溝１１および蓄光性夜光塗料１２の構成は、図２に示す構成と同じである。
【００２１】  また、ガラス縁３は、黄銅やステンレス鋼などの金属製としたが、光半透過性を有する磁器製とすることができる。磁器としては、たとえば有田焼または伊万里焼に代表され、一般に白磁と呼ばれるものが好ましい。本実施の形態の例では、ガラス縁３は、高温焼成した後に、見返し面１０を研磨している。そして、ガラス縁３を時計ケースまたは時計１として組み立てたときに、少なくとも視認可能な面には、光透過性または光半透過性の釉薬が焼き付けられる。釉薬としては、光透過性が高い透明釉薬や光半透過性の白磁釉薬などがある。磁器の表面には、非常に細かい凹凸があるが、釉薬によって、磁器表面を凹凸がない面に仕上げることができる。ガラス縁３を磁器製とすれば、蓄光性夜光塗料１２から発光されたが、磁器内を透過して文字板５と接触する面で反射し、また、蓄光性夜光塗料１２からの光の一部はガラス縁３の外表面から出射し、ガラス縁３時針が光る従来にない質感の斬新なデザインを可能にする。
【００２２】  （第２の実施の形態）
次に、第２の実施の形態について図面を参照しながら説明する。第２の実施の形態は、前述した第１の実施の形態が、見返し面１０をガラス縁３またはケース胴２に設けていることに対して見返し面２２をダイヤルリング２０に設けていることに特徴を有する。したがって、ダイヤルリング２０の構成を中心に説明し、図１、図２と同じ機能部材には同じ符号を付して説明する。
【００２３】  図３は、第２の実施の形態に係る時計１を示し、（Ａ）は、図１のＡ−Ａ切断線に相当する位置の切断線で切断した断面図の一部を示す断面図、（Ｂ）は、ダイヤルリング２０の一部（図３（Ａ）のＣで示す部分）を拡大して示した部分断面図である。図３（Ａ），（Ｂ）で示す構成を第１実施例とする。図３（Ａ），（Ｂ）に示すように、ダイヤルリング２０は、ケース胴２１の内側の文字板５とガラス４の間に配置され、その内周面が見返し面２２である。ダイヤルリング２０は、黄銅などの金属製や磁器製のものを用いる。見返し面２２には、溝２３が周方向全周にわたって形成され、この溝２３は、蓄光性夜光塗料１２で充填されている。蓄光性夜光塗料１２が充填される溝２３の位置や大きさ、見返し面２２の傾斜角度、および蓄光性夜光塗料１２の充填形態などは、第１の実施の形態（図２（Ｂ）参照）と同じように設定される。
【００２４】  このように構成される時計１は、明るいところでは蓄光性夜光塗料１２そのもの（発光色ではない）を視認可能であるが、暗いところ、またはブラックライトによって紫外線を照射したときには、蓄光性夜光塗料１２が発光する。また、光の一部は、見返し面２２で反射および文字板５の表面で反射することで、従来の時計にない質感を有する斬新なデザインの時計を実現可能となる。ダイヤルリング２０が、光半透過性の磁器の場合には、蓄光性夜光塗料１２から発光された光の一部が、磁器内を透過し、見返し面２２およびガラス４側の上面２８から出射することが可能となり、ダイヤルリング２０の全体が光る従来にない斬新な外観の時計を可能にする。なお、磁器製のダイヤルリング２０には、少なくとも見返し面２２と上面２８に光透過性が高い透明釉薬や光半透過性の白磁釉薬を焼き付けておく。
【００２５】  次に、第２の実施の形態に係る第２実施例について図３（Ｃ）を参照して説明する。第２実施例は、蓄光性夜光塗料１２の配置を２か所としたことが第１実施例と異なるものである。
【００２６】  図３（Ｃ）は、第２実施例に係るダイヤルリング２０を示す部分断面図である。なお、第２実施例のダイヤルリング２０は、光半透過性の磁器で成形されている。図３（Ｃ）に示すように、ダイヤルリング２０には、見返し面２２に加えて、文字板５に接触する側の下面２４の２か所に蓄光性夜光塗料１２が設けられている。見返し面２２側は、第１実施例と同じ構成である。下面２４には溝２５が設けられていて、この溝２５内に蓄光性夜光塗料１２が充填されている。なお、下面２４側の蓄光性夜光塗料１２は、下面２４から突出しない範囲に充填される。このように、下面２４側にも蓄光性夜光塗料１２を設けることで、見返し面２２側の光に加えて、下面２４側からの光が磁器内を透過し、その一部が見返し面２２および上面２８から出射されるので第１実施例よりも光量が増す。また、上面２８から出射する光は、見返し面２２から出射される光量よりも小さくなることから、グラデーションがかかったような見栄えとなり、従来にない質感や斬新な外観の時計を実現できる。
【００２７】  次に、第２の実施の形態に係る第３実施例について図３（Ｄ）を参照して説明する。第３実施例は、蓄光性夜光塗料１２の配置を、見返し面２２に加えて、見返し面２２に対し径方向外側の背面である外周側面２６の２か所としたたことが第２実施例と異なるものである。
【００２８】  図３（Ｄ）は、第３実施例に係るダイヤルリング２０を示す部分断面図である。なお、第３実施例のダイヤルリング２０は、光半透過性の磁器で成形されている。図３（Ｄ）に示すように、ダイヤルリング２０には、見返し面２２に加えて、外周側面２６に蓄光性夜光塗料１２が設けられている。見返し面２２側は、第１実施例および第２実施例と同じ構成としている。外周側面２６には、周方向全周にわたって溝２７が設けられていて、この溝２７内に蓄光性夜光塗料１２が充填されている。なお、外周側面２６側の蓄光性夜光塗料１２は、外周側面２６から突出しない範囲に充填されることが好ましい。このように、外周側面２６側にも蓄光性夜光塗料１２を設けることで、見返し面２２側の光に加えて、外周側面２６側から光が磁器内を透過して一部が、見返し面２２および上面２８から出射されるので第１実施例よりも光量が増す。なお、外周側面２６側の蓄光性夜光塗料１２と上面２８の距離が、第２実施例の下面２４側の蓄光性夜光塗料１２と上面２８の距離よりも小さいので、第３実施例の上面２８側の明るさは、第２実施例の上面２８の明るさよりも明るくなる。
【００２９】  次に、第２の実施の形態に係る第４実施例について図３（Ｅ）を参照して説明する。第４実施例は、蓄光性夜光塗料１２の配置を、見返し面２２に加えて、下面２４および外周側面２６の３か所としたたことが第１実施例、第２実施例および第３実施例と異なるものである。
【００３０】  図３（Ｅ）は、第４実施例に係るダイヤルリング２０を示す部分断面図である。なお、第４実施例のダイヤルリング２０は、光半透過性の磁器で成形されている。図３（Ｅ）に示すように、ダイヤルリング２０には、見返し面２２に加えて、下面２４および外周側面２６の３か所に蓄光性夜光塗料１２が設けられている。見返し面２２側は、第１実施例〜第３実施例と同じ構成である。下面２４側の蓄光性夜光塗料１２は第２実施例（図３（Ｃ）と同じ構成、外周側面２６側の蓄光性夜光塗料１２の構成は第３実施例（図３（Ｄ）と同じ構成となっている。このように、見返し面２２、下面２４および外周側面２６側に蓄光性夜光塗料１２を設けることで、見返し面２２側の蓄光性夜光塗料１２から直接出射される光に加えて、下面２４側と外周側面２６側からの光が磁器内を透過し、その一部が見返し面２２および上面）２８から出射されるので第３実施例よりもさらに光量が増し、さらに第１実施例、第２実施例および第３実施例のそれぞれの特徴を有する時計を実現できる。
【００３１】なお、図示は省略するが、第２の実施の形態は、ガラス縁を有しない構成を例示して説明したが、第１の実施の形態で説明したように、時計ケースとしてガラス縁３を有する構成とすることが可能で、そのような構成では、ケース胴２１を図１で示すケース胴２と同じような構造とし、ガラス縁を設け、さらにガラス４と文字板５とガラス縁で囲まれた空間にダイヤルリング２０を配置する構成とすることができる。
【００３２】  以上説明した時計１は、時計用の表示板である文字板５と風防ガラスであるガラス４との間に見返し面１０または見返し面２２を有し、見返し面１０または見返し面２２には周方向に溝１１または溝２３が形成され、溝１１，２３を蓄光性夜光塗料１２で充填している。このような構成によれば、明るいところでは時計１の本来の質感を失うことなく、暗いところ、またはブラックライトによって紫外線を照射したときには、蓄光性夜光塗料１２が発光し、見返し面１０で反射し、一部は文字板５の表面で反射する。このことによって、明るいところでは高級感を備える外観と、暗いところや紫外線を照射したときに明るいところで見える外観とは異なる斬新な外観の時計を実現できる。また、蓄光性夜光塗料１２が、文字板５の外周全周に配設されているので、暗いところで時刻を読み取ることができる照明装置としての機能を有する。
【００３３】  また、見返し面１０は、ガラス４を固定するガラス縁３またはケース胴２の内周面に設けられている。時計ケースには、一般的にケース胴２に直接ガラス４を固定する構造と、ガラス縁３を介してガラス４を固定する構造があるが、ケース胴２またはガラス縁３のいずれにも見返し面１０を設けることができ、ケース構造（時計構造）が限定されることがない。
【００３４】  また、時計１は、ガラス縁３を光半透過性を有する磁器で成形することが可能である。ガラス縁３を磁器製とすれば、蓄光性夜光塗料１２から発光されたが、文字板５と接触する面である下面２４で反射し、また、蓄光性夜光塗料１２からの光の一部は磁器内を通ってガラス縁３の外表面から出射するので、暗いところではガラス縁３が明るくなり、従来にない質感の斬新な外観を実現できる。
【００３５】  また、時計ケースには、文字板５とガラス４の間にダイヤルリング２０を配置する構造があり、このダイヤルリング２０の内周面に見返し面２２を設け、溝２３内に蓄光性夜光塗料１２を充填することによって、前述したケース胴２またはガラス縁３に蓄光性夜光塗料１２を設ける構造と同様な効果が得られる。
【００３６】  また、ダイヤルリング２０は、光半透過性を有する磁器で成形されている。そして、ダイヤルリング２０には、見返し面２２、見返し面２０の径方向外側の背面である外周側面２６、文字板５と接触する面である下面２４のいずれか一つの面、またはいずれか二つの面、または三つの面に溝２３、溝２７または溝２５が形成され、これら溝が蓄光性夜光塗料１２で充填される。ダイヤルリング２０が磁器製の場合、蓄光性夜光塗料１２が出射する光はダイヤルリング２０内を通り、光の一部がダイヤルリング２０の外部に出射される。したがって、見返し面２２側に出射される光量を増し、また、ダイヤルリング２０の上面２８からも光の一部が出射されることから、ダイヤルリング２０自身が光っているように見える。また、蓄光性夜光塗料１２の配置位置を、見返し面２２、下面２４、外周側面２６の組み合わせを適宜選択すれば、明るいところでの質感は従来の時計とは変えずに、たとえば、グラデーションのような外観が得られる。
【００３７】  また、ガラス縁３またはダイヤルリング２０が磁器製の場合、ガラス縁３またはダイヤルリング２０の表面のうち、組み立てたときに、ガラス縁３またはダイヤルリング２０の少なくとも視認可能な面）には、光透過性または光半透過性の釉薬が焼き付けられている。このようにすれば、ガラス縁３およびダイヤルリング２０が、磁器製品特有の質感を有することが可能となる。たとえば、文字板５を磁器製にした場合には、磁器製のガラス縁３またはダイヤルリング２０と文字板５とを同じ質感にすることが可能で、高級感のある外観が得られる。
【００３８】  なお、本考案は前述の実施の形態に限定されるものではなく、本考案の目的を達成できる範囲での変形、改良等は本考案に含まれるものである。たとえば、前述の第１の実施の形態および第２の実施の形態では、各見返し面１０，２２には、１本（１条）の溝を形成し、この溝内に蓄光性夜光塗料１２を充填しているが、溝の数は１本に限定されず、たとえば、２本または３本というように、複数本（複数条）としてもよい。ダイヤルリング２０の下面２４および外周側面２６にも見返し面と同様に複数本とすることが可能である。
【００３９】  また、蓄光性夜光塗料１２は、青色、緑色、赤色などから選択することが可能であり、複数の溝を形成する構成の場合には、異なる色の蓄光性夜光塗料を組み合わせることが可能である。
【００４０】  また、前述した第１の実施の形態および第２の実施の形態では、見返し面１２，２２に形成する溝１１，２３を周方向全周にわたって形成し、蓄光性夜光塗料１２を充填しているが、時刻目盛の位置に、点溝または縦線（周方向に交差する）の溝を形成し、これら点溝や縦線の溝内に蓄光性夜光塗料１２を充填するようにしてもよい。
【００４１】  また、前述の第１の実施の形態および第２の実施の形態では、ガラス縁３およびダイヤルリング２０を磁器製とした例を説明したが、ケース胴２を磁器製とすることが可能である。そして、ガラス縁３、ダイヤルリング２０、さらに文字板５も磁器製にして、これらに同じ釉薬を焼き付ければ、これら視認可能な部位の質感が全て同じになり、高級感がある時計を提供できる。なお、釉薬の色は、適宜選択することが可能である。
【００４２】  また、前述した第１の実施の形態および第２の実施の形態では、時計１として時針７および分針８を有するアナログ時計を例示したが、液晶表示式時計などにも適用可能である。この際、液晶表示面上の見返し面に溝を形成し、この溝内に蓄光性夜光塗料１２を充填すれば、暗闇でも時刻を認識できるデジタル時計を実現できる。
【符号の説明】
【００４３】  １…時計
２，２１…ケース胴
３…ガラス縁
４…ガラス（風防ガラス）
５…文字板（時計用の表示板）
１０，２２…見返し面
１１，２３，２５，２７…溝
１２…蓄光性夜光塗料
２０…ダイヤルリング
２４…下面
２６…外周側面
２８…上面
【図１】
0003203279.tif 000003
【図２】
0003203279.tif 000004
【図３】
0003203279.tif 000005